(57)【要約】      （修正有）【課題】連結保持力を十分に確保し、しかも連結を解除する操作に強い力や特別な要領を不要とする。【解決手段】貯血槽１により連結部材２０を介して人工肺２を支持する。人工肺の嵌合内筒部は、連結部材の第２嵌合部２３内に嵌合し、複数個の摺動突起１２を有する。連結部材は、摺動突起に対応する係合溝８、２４及びロック部材２５を備える。係合溝は、第２嵌合部の軸方向の縦溝、及び周方向の横溝を含む。第２嵌合部と嵌合内筒部の相対的な変位に伴い、摺動突起が縦溝内に下端から進入して横溝内を摺動する。ロック部材は、支点の下部で内方に突出する係止爪と、支点から上方に延在する操作レバー部とを含む。係止爪は、横溝内の所定位置において摺動突起と係合してその横溝の始端側への回動変位を阻止し、操作レバー部を押圧し回動させることにより、係止爪は径方向に変位して摺動突起との係合が解除される。【選択図】図１Ｂ
2015073589.tif 000002
【特許請求の範囲】
【請求項１】
第１医療装置と結合する上端側の第１嵌合部、及び第２医療装置と結合する下端側の円筒状の第２嵌合部を有する連結部材を介して、前記第１医療装置により前記第２医療装置を支持するように構成された医療装置の連結構造であって、
前記第２医療装置は、前記第２嵌合部内に嵌合する嵌合内筒部を備え、前記嵌合内筒部は径方向に突出した複数個の摺動突起を有し、
前記連結部材は、前記第２嵌合部の前記摺動突起に対応する位置に設けられた係合溝、及び支点を介して支持されたロック部材を備え、
前記係合溝は、前記第２嵌合部の下端から軸方向に延在する縦溝、及び前記縦溝の内端部を始端として周方向に延在する横溝を含み、前記第２嵌合部と前記嵌合内筒部の相対的な軸方向変位及び回動変位に伴い前記摺動突起が前記縦溝内に開放下端から進入して前記横溝内を摺動し、
前記ロック部材は、前記支点の下部で内方に突出する係止爪と、前記支点から上方に延在する操作レバー部とを含み、
前記係止爪は、前記横溝内の所定位置において前記摺動突起と係合して、前記摺動突起の前記横溝の始端側への回動変位を阻止し、
前記操作レバー部を前記嵌合内筒部に向かって押圧することにより、弾性変形に伴う前記支点の周りの回動によって前記係止爪が前記第２嵌合部の径方向に変位して、前記摺動突起との係合が解除されることを特徴とする医療装置の連結構造。
【請求項２】
前記係止爪は、前記摺動突起が係合し始める時に当接する側の端部が、前記横溝の方向において端縁から内方に向かって傾斜する傾斜面を形成している請求項１に記載の医療装置の連結構造。
【請求項３】
前記第２嵌合部の周方向に対する前記横溝の幅は、前記摺動突起の径よりも大であり、
前記横溝の下側縁には、上側縁に向かって突出して前記横溝に幅狭部を形成する保持突起が設けられ、
前記連結部材には、前記第２嵌合部と前記嵌合内筒部が嵌合した状態における前記嵌合内筒部に対して前記連結部材から離れる向きの付勢力を与えるばねが設けられ、前記摺動突起が前記横溝の下側縁に押し付けられる請求項１または２に記載の医療装置の連結構造。
【請求項４】
前記保持突起は、前記摺動突起が係合し始める時に当接する側の端部が、前記横溝の方向において端縁から上方に向かって傾斜する傾斜面を形成している請求項３に記載の医療装置の連結構造。
【請求項５】
前記連結部材は本体円筒部を有し、その下端部に前記第２嵌合部が設けられ、
前記第２嵌合部は、前記本体円筒部の中心軸に対して前記ロック部材が配置された側に偏倚している請求項１〜４のいずれか１項に記載の医療装置の連結構造。
【請求項６】
前記連結部材は本体円筒部を有し、その下端部に前記第２嵌合部が設けられ、
前記第２嵌合部の中心軸は、前記本体円筒部の中心軸に対して前記ロック部材が下がる向きに傾斜している請求項１〜５のいずれか１項に記載の医療装置の連結構造。
【請求項７】
前記第１医療装置は円筒形状を有する結合部を有し、前記第１嵌合部は前記第１医療装置の結合部とＯリングを介在させて嵌合して、前記連結部材が前記第１医療装置に対して回動可能である請求項１〜６のいずれか１項に記載の医療装置の連結構造。
【請求項８】
本体部の底面の中心から外れた一部が下方に突出した貯血室を有し、前記貯血室の下端に血液流出ポートが設けられ、前記本体部の上部に血液流入ポートが設けられた貯血槽と、
ガス流路と血液を交差させてガス交換を行うための血液流路を有し、前記貯血槽と連結された人工肺とを備えた体外循環処理装置であって、
請求項１〜７のいずれかに記載の医療装置の連結構造により、前記貯血槽を前記第１医療装置とし前記人工肺を前記第２医療装置として、前記貯血槽により前記連結部材を介して前記人工肺が支持され、
前記貯血槽は、前記本体部の底面の前記貯血室から隔たった位置で下方に突出させて、前記連結部材の前記第１嵌合部と結合する結合部を備え、
前記嵌合内筒部は前記人工肺の上部に設けられている体外循環処理装置。
【発明の詳細な説明】
【技術分野】
【０００１】
本発明は、連結装置を介して第１医療装置により第２医療装置を支持させるための連結構造、例えば、貯血槽により人工肺を支持させるための連結構造に関する。特に、連結装置を第２医療装置に対して結合させるための着脱構造の改良に関する。
【背景技術】
【０００２】
例えば心臓手術においては、患者の心臓を停止させ、その間の呼吸及び循環機能を代行するために、人工心肺装置が用いられる。人工肺は、患者の肺に代わって血液に酸素を供給し、二酸化炭素を排出させる機能を提供して、体外血液循環を可能とする。
【０００３】
また、体外血液循環では、血液ポンプを作動させて患者の静脈より脱血し、人工肺により酸素含有ガスと血液の間でガス交換を行なった後、再び患者の動脈に戻す操作が行なわれる。従って、体外血液循環を行うための血液回路には、人工肺とともに、回路内の血液量を調整し、返血量を一定に保つための緩衝機能が必要である。さらに、術野から血液を吸引し異物を瀘別除去した後、返血するラインも設けられる。そのため、脱血した血液を一時的に貯留し、また術野から吸引された血液を瀘過し一時的に貯留しておくための貯血槽が用いられる。
【０００４】
このように、体外血液循環のための血液回路においては、人工肺とともに貯血槽が用いられるのが一般的である。以下の記載において、人工肺と貯血槽とを含み体外血液循環回路中に用いられる装置を体外循環処理装置と称する。また、人工肺は、ガス交換を行うためのガス交換部を、血液の温度を調整するための熱交換器と一体化した構成とするのが一般的であるが、熱交換器を一体化することは必須ではない。以下の説明は、熱交換器を伴わずにガス交換部のみを備えた人工肺の場合についても、共通に適用される。
【０００５】
体外循環処理装置については、各機器の配置スペースを縮小し、また、接続チューブにより形成する血液回路内の血液充填量を低減させるために、人工肺と貯血槽間の距離を短くすることが望ましい。併せて、体外血液循環回路の組み立ての簡便性も考慮して、貯血槽と人工肺は、連結して一体化された状態で体外循環処理装置として使用されるのが一般的である。一体化の形態としては、通常、貯血槽の底面下に人工肺を支持させた連結構造を取る（例えば、特許文献１参照）。
【０００６】
特許文献１に開示された、貯血槽と人工肺を一体化した体外循環処理装置の構造について、図８に示す側面図を参照して説明する。この体外循環処理装置は、貯血槽１の底面下に人工肺２を連結して構成される。但し、図８は、連結される直前の状態を示す。貯血槽１は、本体部３と、本体部３の上部に載置された蓋体４とを有する。
【０００７】
本体部３は、その底面の中心から外れた一部が下方に突出して形成された貯血室５を有し、貯血室５の下端には血液流出ポート６が設けられている。本体部３の底面の貯血室５から隔たった位置には、下方に突出した円筒状結合部（不図示）が設けられている。この円筒状結合部に対して、円筒状の連結部材７が、Ｏリング（不図示）を介して回動自在に装着されて、下方に突出している。連結部材７はその下部に、人工肺２と結合させるための係合溝８を有する。蓋体４には各種ポート群９が設けられており、心内血流入ポート、静脈血流入ポート、薬液注入ポート、貯血槽１内の圧力を調整するための排気ポート等を含む。
【０００８】
人工肺２は、人工肺本体に保護カバー１０が装着された構造を有する。保護カバー１０は、人工肺本体の熱交換部側を覆う熱交換側枠体１０ａと、ガス交換部側を覆うガス交換側枠体１０ｂとからなる。熱交換側枠体１０ａの上部には、円筒状の嵌合内筒部１１が設けられている。嵌合内筒部１１は、連結部材７の内部に嵌合可能である。嵌合内筒部１１の外周面には、径方向に突き出た摺動突起１２が設けられ、連結部材７の係合溝８と係合する。
【０００９】
人工肺本体は、熱交換部及びガス交換部を水平方向に貫通する血液流路を有する。血液ポート１３、１４は、人工肺本体における血液流路の両端に対応する位置に設けられている。冷温水ポート１５、１６が熱交換部に設けられ、ガスポート１７、１８がガス交換部の上下端部に設けられている。
【００１０】
連結部材７と嵌合内筒部１１の結合構造を、図９Ａ、９Ｂに簡略化して示す。図９Ａは側面図、図９Ｂは平面断面図である。図９Ａ、９Ｂは、連結部材７と嵌合内筒部１１が嵌合し、係合溝８に対する摺動突起１２の係合が完了した状態を示す。
【００１１】
図９Ｂに示すように、摺動突起１２は、周方向の４箇所に９０度間隔で設けられている。係合溝８は、４箇所の摺動突起１２に対応させて設けられている。係合溝８は、図９Ａに示すようにＬ字形状である。すなわち、係合溝８は、連結部材７の下端から軸方向に沿って形成された縦溝８ａと、縦溝８ａの端部から周方向に沿って形成された横溝８ｂとから構成されている。横溝８ｂには、縦方向における横溝８ｂの幅を狭くする保持突起１９が設けられている。これにより、摺動突起１２が横溝８ｂから簡単には外れないように保持する脱落防止機能が得られる。
【００１２】
連結部材７と嵌合内筒部１１を結合させる際には、連結部材７の内部空間に嵌合内筒部１１を嵌合させるとともに、係合溝８に対して摺動突起１２を係合させる。そのため、先ず、連結部材７と嵌合内筒部１１とを、摺動突起１２が縦溝８ａに嵌まるように位置合わせし、縦溝８ａの上端に達するまで摺動突起１２を上方に移動させる。更に、連結部材７と嵌合内筒部１１を相互に回動させて、摺動突起１２を横溝８ｂの奥へと送り込むことで、係合が完了する。
【００１３】
その過程で、摺動突起１２は保持突起１９を乗り越えて、係合の保持状態が得られる。これにより、人工肺２は貯血槽１に固定される。使用後は、逆向きの回動操作を行うことにより、人工肺２の貯血槽１からの取り外しを行うことができる。
【先行技術文献】
【特許文献】
【００１４】
【特許文献１】特開２０１０−２８４２０１号公報
【発明の概要】
【発明が解決しようとする課題】
【００１５】
上述のような、連結部材７と嵌合内筒部１１の結合構造に対しては、安全性及び操作性に関して、以下のような条件を満足することが望まれる。
【００１６】
［安全性及び操作性に関する要求］
１）臨床使用上想定される意図しない負荷が印加された場合でも、人工肺２の脱落を回避できる。
２）血液回路セッティング時や体外循環中に人工肺２が脱落しそうな不安感を与えない。
３）人工肺２を貯血槽１から外すときに、床に落とすリスクが低減される。
４）貯血槽１、ポンプとのレイアウト性に優れ、回路充填量をムダに増加させない。
５）人工肺２を貯血槽１から取外す操作に、力や要領を必要としない。
【００１７】
これらの条件のうち安全性に関する条件１）〜３）を満足するために、保持突起１９の突出量を十分に大きくすることも考えられた。それにより、保持突起１９が摺動突起１２の回動を阻止する抵抗が大きくなり、取り外しに対する保持力が増大して、脱落防止機能が強化されるからである。しかし、保持力を増大させて外れ難くすると、結合または解除の操作に要する力も大きくなり、操作の容易性を阻害するため、操作性に関する条件５）に関しては不都合である。すなわち、従来例の連結構造は、安全性を過剰に強化していたため操作性に対する配慮が十分ではなかった。
【００１８】
そこで、十分な脱落防止機能を維持したまま操作に要する力を緩和するため、次のような構成も考えられた。すなわち、図１０に示すように、横溝８ｃの幅ｗを摺動突起１２の直径よりも大きくする。これにより、保持突起１９の突出量が大きくても、摺動突起１２に保持突起１９を乗り越えさせる力は軽減される。併せて、連結部材７内にばねを設けて、嵌合内筒部１１に対して連結部材７から離れる向きの付勢力を与える。これにより、連結部材７と嵌合内筒部１１の結合状態では、摺動突起１２が横溝８ｂの下縁に押し付けられる。そのため、単に連結部材７と嵌合内筒部１１を相互に回動させるだけの操作では、摺動突起１２に保持突起１９を乗り越えさせることが困難となり、係合の保持が確実となる。
【００１９】
連結を解除する際には、嵌合内筒部１１すなわち人工肺２を、連結部材７に向かって押し付ける。これにより、摺動突起１２を横溝８ｂの上縁に向かって押し付けて、摺動突起１２を保持突起１９から逃がす操作を行う。同時に、連結部材７に対して人工肺２を回動させる操作を行う。これにより、摺動突起１２を横溝８ｂに沿って縦溝８ａの側へ移動させる操作に要する力が軽減される。
【００２０】
以上のようにすれば、連結部材７と嵌合内筒部１１の結合構造の安全性を維持しながら、操作性を向上させることができる。しかし、以上のような構成を採用しても、条件５）を十分に満足させることはできない。
【００２１】
何故ならば、連結を解除する際には、人工肺２を連結部材７に向かって押し付ける縦方向操作と、連結部材７に対して人工肺２を回動させる回動操作の、２種類の操作を同時に行う必要があるからである。しかも、嵌合内筒部１１を付勢するばねは、条件１）〜３）を満足するために十分に強いものを用いるので、ばねに抗して行う縦方向操作には、相当の力を必要とし、これと同時に回動操作を行おうとすると、相当の要領が必要となる。
【００２２】
なお、以上のような連結構造は、人工肺と貯血槽の組合わせに限らず、２種類の医療装置を組合わせて用いる場合に一般的に必要となり得るものである。そのため、連結構造における上述の問題も、一般的な医療装置の組合わせにおいて、同様に発生し得る。
【００２３】
従って本発明は、２種類の医療装置の連結の保持力が十分に高く、しかも連結を解除する操作に強い力や特別な要領を必要としない医療装置の連結構造を提供することを目的とする。
【００２４】
本発明はまた、そのような連結構造を用いた体外循環処理装置を提供することを目的とする。
【課題を解決するための手段】
【００２５】
本発明の医療装置の連結構造は、第１医療装置と結合する上端側の第１嵌合部、及び第２医療装置と結合する下端側の円筒状の第２嵌合部を有する連結部材を介して、前記第１医療装置により前記第２医療装置を支持するように構成される。前記第２医療装置は、前記第２嵌合部内に嵌合する嵌合内筒部を備え、前記嵌合内筒部は径方向に突出した複数個の摺動突起を有する。前記連結部材は、前記第２嵌合部の前記摺動突起に対応する位置に設けられた係合溝、及び支点を介して支持されたロック部材を備える。前記係合溝は、前記第２嵌合部の下端から軸方向に延在する縦溝、及び前記縦溝の内端部を始端として周方向に延在する横溝を含む。前記第２嵌合部と前記嵌合内筒部の相対的な軸方向変位及び回動変位に伴い前記摺動突起が前記縦溝内に開放下端から進入して前記横溝内を摺動する。
【００２６】
上記課題を解決するために、本発明の医療装置の連結構造では、前記ロック部材は、前記支点の下部で内方に突出する係止爪と、前記支点から上方に延在する操作レバー部とを含み、前記係止爪は、前記横溝内の所定位置において前記摺動突起と係合して、前記摺動突起の前記横溝の始端側への回動変位を阻止し、前記操作レバー部を前記嵌合内筒部に向かって押圧することにより、弾性変形に伴う前記支点の周りの回動によって前記係止爪が前記第２嵌合部の径方向に変位して、前記摺動突起との係合が解除されることを特徴とする。
【発明の効果】
【００２７】
上記構成の医療装置の連結構造によれば、第２嵌合部と嵌合内筒部の結合を解除する際には、操作レバー部を押圧する操作と、人工肺を回動させる動作を同時に行う。そのためには、一方の手のひらで操作レバー部を押圧しながら連結部材を握り、他方の手で人工肺を回動させればよい。このとき、係止爪と摺動突起の係合が解放されており、人工肺を軽い力で回動させることができる。また、人工肺を回動させる方の手は、一種類の方向の操作を行うのみで良いので、特別な要領を必要とせず、連結を解除する際の操作性が格段に向上する。
【図面の簡単な説明】
【００２８】
【図１Ａ】本発明の実施の形態における医療装置の連結構造を含む体外循環処理装置を示す正面図
【図１Ｂ】同体外循環処理装置の側面図
【図２Ａ】同体外循環処理装置の貯血槽と人工肺を連結する連結部材の正面図
【図２Ｂ】同連結部材の上面図
【図２Ｃ】同連結部材の側面図
【図２Ｄ】同連結部材の図２Ｃにおける矢印Ａの方向に見た図
【図３】同体外循環処理装置の第１医療装置である貯血槽を示す側面図
【図４Ａ】同体外循環処理装置の第２医療装置である人工肺を示す側面図
【図４Ｂ】同人工肺の上面図
【図５Ａ】同連結部材と人工肺を対向させた状態を示す側面図
【図５Ｂ】同連結部材と人工肺の結合部分を示す側面図
【図６Ａ】同連結部材に設けられた係止爪２８の形状を示す正面図
【図６Ｂ】同係止爪２８の形状を示す側面図
【図６Ｃ】図６ＡのＢ−Ｂ線に沿った平面断面図
【図７】同連結部材に設けられた保持突起１９の形状を示す拡大正面図
【図８】従来例の医療装置の連結構造を含む体外循環処理装置を示す側面図
【図９Ａ】同連結構造の要部を示す側面図
【図９Ｂ】同連結構造の要部を示す平面断面図
【図１０】図９Ａの連結構造の改良例である連結構造の部分を示す側面図
【発明を実施するための形態】
【００２９】
本発明の医療装置の連結構造は、上記構成を基本として、以下のような態様をとることができる。
【００３０】
すなわち、前記係止爪は、前記摺動突起が係合し始める時に当接する側の端部が、前記横溝の方向において端縁から内方に向かって傾斜する傾斜面を形成している構成とすることができる。係合時には、摺動突起に対する傾斜面の案内により、係止爪は摺動突起を円滑に乗り越えることができ、連結部材と人工肺の結合時の装着が容易になる。
【００３１】
また、前記第２嵌合部の周方向に対する前記横溝の幅は、前記摺動突起の径よりも大であり、前記横溝の下側縁には、上側縁に向かって突出して前記横溝に幅狭部を形成する保持突起が設けられ、前記連結部材には、前記第２嵌合部と前記嵌合内筒部が嵌合した状態における前記嵌合内筒部に対して前記連結部材から離れる向きの付勢力を与えるばねが設けられ、前記摺動突起が前記横溝の下側縁に押し付けられる構成とすることができる。このように、摺動突起が横溝の下側縁に押し付けられることにより、第２嵌合部と嵌合内筒部の結合状態が安定して保持され、第２医療装置の意図しない脱落を防止する効果が得られる。
【００３２】
また前記保持突起は、前記摺動突起が係合し始める時に当接する側の端部が、前記横溝の方向において端縁から上方に向かって傾斜する傾斜面を形成している構成とすることができる。これにより、摺動突起は傾斜面に案内されて保持突起を円滑に乗り越えることができ、連結部材と人工肺の結合時の装着が容易になる。
【００３３】
また、前記連結部材は本体円筒部を有し、その下端部に前記第２嵌合部が設けられ、前記第２嵌合部は、前記本体円筒部の中心軸に対して前記ロック部材が配置された側に偏倚している構成とすることができる。これにより、本体円筒部の外周面からのロック部材の隔たりが大きくなり、結合を解除させる際の、操作レバー部の操作が容易になる。
【００３４】
また、前記連結部材は本体円筒部を有し、その下端部に前記第２嵌合部が設けられ、前記第２嵌合部の中心軸は、前記本体円筒部の中心軸に対して前記ロック部材が下がる向きに傾斜している構成とすることができる。これにより、本体円筒部の外周面からのロック部材の隔たりを更に大きくすることができ、操作の容易性を向上させることができる。
【００３５】
また、前記第１医療装置は円筒形状を有する結合部を有し、前記第１嵌合部は前記第１医療装置の結合部とＯリングを介在させて嵌合して、前記連結部材が前記第１医療装置に対して回動可能である構成とすることができる。このように、第１医療装置に対して連結部材が回動可能であることにより、第１医療装置に対する第２医療装置の配置の自由度が向上する。但し、第２医療装置を回動させる際には連結部材が回動しないように固定する必要が生じる。これに対して、この構成によれば、一方の手で操作レバー部を押圧しながら連結部材を握る操作により、連結部材の固定操作も同時に行うことができ、合理的である。
【００３６】
本発明の体外循環処理装置は、上記構成の連結構造を用いて、以下のように構成することができる。すなわち、本体部の底面の中心から外れた一部が下方に突出した貯血室を有し、前記貯血室の下端に血液流出ポートが設けられ、前記本体部の上部に血液流入ポートが設けられた貯血槽と、ガス流路と血液を交差させてガス交換を行うための血液流路を有し、前記貯血槽と連結された人工肺とを備え、上記いずれかの構成の医療装置の連結構造により、前記貯血槽を前記第１医療装置とし前記人工肺を前記第２医療装置として、前記貯血槽により前記連結部材を介して前記人工肺が支持され、前記貯血槽は、前記本体部の底面の前記貯血室から隔たった位置で下方に突出させて、前記連結部材の前記第１嵌合部と結合する結合部を備え、前記嵌合内筒部は前記人工肺の上部に設けられている。
【００３７】
以下、本発明の実施の形態について、図面を参照して説明する。下記の実施の形態では、体外循環処理装置を例として、貯血槽（第１医療装置）と人工肺（第２医療装置）を連結するための連結構造を開示する。この連結構造は、貯血槽及び人工肺の組合わせへの適用に限定されることなく、種々の第１医療装置と第２医療装置の連結に適用可能である。
【００３８】
＜実施の形態＞
図１Ａは、本発明の一実施の形態における体外循環処理装置を示す正面図、図１Ｂは側面図である。この体外循環処理装置において、貯血槽１と人工肺２の構成は、図８に示した従来例と同様である。従って、同一の要素については同一の参照番号を付して、説明の繰り返しを省略する。本実施の形態では、連結部材２０が、図８に示した連結部材７と異なる構成を有する。
【００３９】
本実施の形態の連結部材２０は、脱落防止機能を与える構成、すなわち人工肺２との結合を保持するための構成に主要な特徴を有する。この特徴に付随する構成の変化に伴い、図１Ａに示すように、人工肺２は、熱交換側枠体１０ａの側が斜め下方に向くように傾斜して支持される。
【００４０】
連結部材２０の正面図を図２Ａに示す。図２Ｂに、連結部材２０の上面図、図２Ｃに側面図、図２Ｄに図２Ｃにおける矢印Ａの方向に見た図を示す。貯血槽１及び人工肺２は従来例と同様の構成でよいが、参考のため、連結を解除した貯血槽１を図３に、人工肺２を図４Ａ、４Ｂに示す。また、図５Ａに、連結部材２０と人工肺２を対向させて側面図で示す。図５Ｂには、連結部材２０と人工肺２が結合した状態の要部を示す。
【００４１】
図２Ａ〜２Ｄに示すように、連結部材２０は本体円筒部２１を有し、その上端部が第１嵌合部２２を形成し、下端部に円筒状の第２嵌合部２３が設けられている。第１嵌合部２２が貯血槽１と結合し、第２嵌合部２３が人工肺２と結合する。これにより、連結部材２０を介して、貯血槽１により人工肺２が支持される。第２嵌合部２３には、周方向の４箇所に９０度間隔で係合溝８、２４が設けられている。すなわち、９０度間隔で３箇所に従来例と同様の係合溝８が設けられ、９０度間隔の残りの一箇所にはロック部係合溝２４が設けられている。ロック部係合溝２４に対応する位置に、ロック部材２５が設けられている。連結部材２０は、例えば、ポリカーボネートにより作製することができる。
【００４２】
図３に示すように、貯血槽１は、本体部３の底面の貯血室５から隔たった位置で下方に突出する円筒形状の結合部２６を有し、周知の構造により連結部材２０の第１嵌合部２２と結合する。すなわち、第１嵌合部２２の内部に結合部２６が嵌合し、その際、結合部２６の外周面と第１嵌合部２２の内周面の間にＯリングを介在させる。これにより、結合部２６は第１嵌合部２２によって確実に保持され、しかも、連結部材２０は貯血槽１に対して回動可能である。
【００４３】
係合溝８は従来例と同様、第２嵌合部２３の下端から軸方向に沿って形成された縦溝８ａと、縦溝８ａの端部から周方向に沿って形成された横溝８ｂとからなる。横溝８ｂには保持突起１９が設けられている。ロック部係合溝２４も、第２嵌合部２３の下端から軸方向に沿って形成された縦溝２４ａと、縦溝２４ａの端部から周方向に沿って形成された横溝２４ｂとからなる。但し、横溝２４ｂには保持突起が設けられていない。
【００４４】
ロック部材２５は、第２嵌合部２３上に設けられた支点２７により支持され、縦方向（第２嵌合部２３の軸方向）における支点２７の下側端部に配置された係止爪２８と、支点２７の上側に延在する操作レバー部２９とからなる。
【００４５】
係止爪２８は、横溝２４ｂに対向して位置し、内方（第２嵌合部２３の径方向中心向き）に突出している。操作レバー部２９の自由状態（静止位置）では、係止爪２８が横溝２４ｂに隣接した状態に保持される。操作レバー部２９を押圧することにより、支点２７が弾性変形し、それに伴いロック部材２５は支点２７の周りに回動して、係止爪２８が、第２嵌合部２３の径方向、外向きに変位する。
【００４６】
図２Ｃに示すように、第２嵌合部２３は、本体円筒部２１の中心軸に対してロック部材２５が配置された側に偏倚している。それにより、本体円筒部２１の外周面からのロック部材２５の隔たりが大きくなっている。さらに、第２嵌合部２３の中心軸は、本体円筒部２１の中心軸に対してロック部材２５が下がる向きに傾斜している。
【００４７】
図４Ａ、４Ｂに示すように、人工肺２の熱交換側枠体１０ａの上部に円筒状の嵌合内筒部１１が設けられ、図５Ａ、５Ｂに示すように、連結部材２０の第２嵌合部２３の内側に嵌合可能である。嵌合内筒部１１の外周面には摺動突起１２が、周方向の４箇所に９０度間隔で設けられて径方向に突出している。摺動突起１２を係合溝８、２４と係合させることにより、嵌合内筒部１１と第２嵌合部２３の嵌合が保持される。
【００４８】
以上の構成により第２嵌合部２３と嵌合内筒部１１を結合させる際には、第２嵌合部２３の内部空間に嵌合内筒部１１が嵌合するように相互に軸方向に変位させ、さらに回動変位を与えて、係合溝８、２４に対して摺動突起１２を係合させる。すなわち、先ず、図５Ａにおける状態と比べて、嵌合内筒部１１を中心軸周りに少し右方向に回動させて、摺動突起１２と縦溝８ａ、２４ａが対向するように位置合わせする。そして、摺動突起１２を縦溝８ａ、２４ａ内に開放下端から進入させて、その上端に達するまで軸方向に変位させる。更に、連結部材２０と嵌合内筒部１１を相互に回動させて、摺動突起１２を横溝８ｂ、２４ｂの奥へと送り込むことで係合が完了する。
【００４９】
図５Ｂに示すように、摺動突起１２が横溝８ｂの終端部に位置した状態では、横溝２４ｂでは、係止爪２８が摺動突起１２と係合する。すなわち、摺動突起１２が横溝２４ｂ内を奥部に向かって変位するときに、支点２７の弾性変形によりロック部材２５が回動して、係止爪２８が摺動突起１２から逃げる。摺動突起１２が通りすぎた後に、係止爪２８は静止位置に復帰する。これにより、係止爪２８が摺動突起１２と係合し、摺動突起１２が横溝２４ｂの始端に向かう側への回動変位が阻止された状態となり、強力な脱落防止機能が得られる。
【００５０】
図２Ｄに示したように、第２嵌合部２３の内部には板ばね３０が設けられている。第２嵌合部２３と嵌合内筒部１１が嵌合した状態において、板ばね３０により、嵌合内筒部１１に対して連結部材２０から離れる向きの付勢力が与えられる。この付勢力により、摺動突起１２が横溝８ｂ、２４ｂの下側縁に押し付けられて、第２嵌合部２３と嵌合内筒部１１の結合状態が安定して保持される。この結果、人工肺２の意図しない脱落を防止する効果が得られる。但し、係止爪２８と摺動突起１２の係合により嵌合内筒部１１の回動変位が阻止されているので、板ばね３０の付勢力は大きくする必要はない。
【００５１】
図６Ａ〜図６Ｃに示すように、係止爪２８は、摺動突起１２が係合し始める時に当接する側の端部が、横溝８ｂの方向において端縁から内方に向かって傾斜する傾斜面３１を形成している。図６Ａは正面図、図６Ｂは側面図、図６Ｃは、図６ＢのＢ−Ｂ線に沿った平面断面図である。係合時には、摺動突起１２に対する傾斜面３１の案内により、係止爪２８は摺動突起１２を円滑に乗り越えることができ、連結部材２０と人工肺２の結合時の装着が容易になる。
【００５２】
また、図７に示すように、保持突起１９は、摺動突起１２が係合し始める時に当接する側の端部が、横溝８ｂの方向において端縁から上方に向かって傾斜する傾斜面３２を形成している。これにより、摺動突起１２は傾斜面３２に案内されて保持突起１９を円滑に乗り越えることができ、連結部材２０と人工肺２の結合時の装着が容易になる。
【００５３】
連結部材２０と嵌合内筒部１１の結合を解除させる際には、操作レバー部２９を嵌合内筒部１１に向かって押圧すれば、係止爪２８は摺動突起１２との係合が解除される向きに変位する。これにより、嵌合内筒部１１（人工肺２）を回動させて、第２嵌合部２３と嵌合内筒部１１の嵌合を脱離させることができる。
【００５４】
このように、解除の際には、操作レバー部２９を押圧する操作と、人工肺２を回動させる動作を同時に行うことになる。そのためには、一方の手のひらで操作レバー部２９を押圧しながら連結部材２０を握り、他方の手で人工肺２を回動させればよい。これらの操作により、係止爪２８と摺動突起１２の係合が解放され、また、板ばね３０の付勢力は小さいので、人工肺２を軽い力で回動させることができる。また、人工肺２を回動させる手は、一種類の方向の操作を行うのみで良いので、特別な要領を必要としない。
【００５５】
なお、上述のとおり、貯血槽１の結合部２６と連結部材２０の第１嵌合部２２は、Ｏリングを介在させて、相互に回動可能である。そのため、人工肺２を回動させる際には連結部材２０が回動しないように固定する必要がある。従って、一方の手で操作レバー部２９を押圧しながら連結部材２０を握る操作により、２種類の目的を同時に達成することができ、合理的である。
【００５６】
また、上述のとおり、第２嵌合部２３は、本体円筒部２１の中心軸に対してロック部材２５が配置された側に偏倚し、本体円筒部２１の外周面からのロック部材２５の隔たりが大きくなっている。これにより、結合を解除させる際の、操作レバー部２９の可動範囲を大きく取ることができ、操作が容易になる。さらに、第２嵌合部２３の中心軸が上述のように本体円筒部２１の中心軸に対して傾斜していることにより、本体円筒部２１の外周面からのロック部材２５の隔たりを更に大きくすることができ、操作の容易性を向上させることができる。
【産業上の利用可能性】
【００５７】
本発明の医療装置の連結構造によれば、連結の保持力が十分に高く、しかも連結を解除する操作に強い力も特別な要領も必要としないので、例えば体外血液循環回路の構成に有用である。
【符号の説明】
【００５８】
１  貯血槽
２  人工肺
３  本体部
４  蓋体
５  貯血室
６  血液流出ポート
７、２０  連結部材
８  係合溝
９  各種ポート群
１０  保護カバー
１０ａ  熱交換側枠体
１０ｂ  ガス交換側枠体
１１  嵌合内筒部
１２  摺動突起
１３、１４  血液ポート
１５、１６  冷温水ポート
１７、１８  ガスポート
８ａ、２４ａ  縦溝
８ｂ、８ｃ、２４ｂ  横溝
１９  保持突起
２１  本体円筒部
２２  第１嵌合部
２３  第２嵌合部
２４  ロック部係合溝
２５  ロック部材
２６  結合部
２７  支点
２８  係止爪
２９  操作レバー部
３０  板ばね
３１、３２  傾斜面
【図１Ａ】
2015073589.tif 000003
【図１Ｂ】
2015073589.tif 000004
【図２Ａ】
2015073589.tif 000005
【図２Ｂ】
2015073589.tif 000006
【図２Ｃ】
2015073589.tif 000007
【図２Ｄ】
2015073589.tif 000008
【図３】
2015073589.tif 000009
【図４Ａ】
2015073589.tif 000010
【図４Ｂ】
2015073589.tif 000011
【図５Ａ】
2015073589.tif 000012
【図５Ｂ】
2015073589.tif 000013
【図６Ａ】
2015073589.tif 000014
【図６Ｂ】
2015073589.tif 000015
【図６Ｃ】
2015073589.tif 000016
【図７】
2015073589.tif 000017
【図８】
2015073589.tif 000018
【図９Ａ】
2015073589.tif 000019
【図９Ｂ】
2015073589.tif 000020
【図１０】
2015073589.tif 000021